(57)【要約】【課題】煩雑な設定操作を必要とせずに、簡易な操作で、取引処理装置を単独で使用する場合の商品登録処理及び決済処理のうち少なくとも１つの操作画面に比べてワイドな操作画面を周辺機器に表示してユーザの操作時の利便性を向上する。【解決手段】取引処理システムは、表示部を有し、表示部を用いて決済アプリケーション及び業務アプリケーションのうち少なくとも１つを実行可能な可搬型の取引処理装置と、決済アプリケーション又は業務アプリケーションに使用される少なくとも１つの周辺機器と接続され、取引処理装置の装着及び取外しが可能なドッキング装置とを備える。周辺機器は表示部より大きな表示領域を有する外部ディスプレイであり、取引処理装置は、ドッキング装置への装着に応じて、表示部に表示された決済アプリケーション又は業務アプリケーションの操作画面を、ドッキング装置を介して外部ディスプレイに切り替えて表示させる。【選択図】図１０
2016186758.tif 000002
【特許請求の範囲】
【請求項１】
表示部を有し、前記表示部を用いて決済アプリケーション及び業務アプリケーションのうち少なくとも１つを実行可能な可搬型の取引処理装置と、
前記決済アプリケーション又は前記業務アプリケーションに使用される少なくとも１つの周辺機器と接続され、前記取引処理装置の装着及び取外しが可能なドッキング装置と、を備え、
前記周辺機器は、前記表示部より大きな表示領域を有する外部ディスプレイであり、
前記取引処理装置は、前記ドッキング装置への装着に応じて、前記表示部に表示された前記決済アプリケーション又は前記業務アプリケーションの操作画面を、前記ドッキング装置を介して前記外部ディスプレイに切り替えて表示させる、
取引処理システム。
【請求項２】
請求項１に記載の取引処理システムであって、
前記取引処理装置は、更に、前記外部ディスプレイに表示されたアプリケーション以外の他のアプリケーションの操作画面を前記表示部に表示させる、
取引処理システム。
【請求項３】
請求項１に記載の取引処理システムであって、
前記外部ディスプレイには、前記決済アプリケーション又は前記業務アプリケーションの操作画面の一部が表示され、
前記取引処理装置は、更に、前記決済アプリケーション又は前記業務アプリケーションの残りの操作画面を前記表示部に表示させる、
取引処理システム。
【請求項４】
請求項１に記載の取引処理システムであって、
前記取引処理装置は、前記ドッキング装置からの取外しに応じて、前記外部ディスプレイに表示された前記決済アプリケーション又は前記業務アプリケーションの操作画面を前記表示部に表示させる、
取引処理システム。
【請求項５】
請求項２に記載の取引処理システムであって、
前記取引処理装置は、前記ドッキング装置からの取外しに応じて、前記表示部に表示された前記他のアプリケーションの操作画面の表示を継続する、
取引処理システム。
【請求項６】
請求項１に記載の取引処理システムであって、
前記取引処理装置は、前記ドッキング装置からの取外しに応じて、前記外部ディスプレイに表示された前記決済アプリケーション又は前記業務アプリケーションの種別、操作画面及び処理状態のうちいずれかを基に、前記表示部に表示させるアプリケーションを決定し、決定された前記アプリケーションの操作画面を前記表示部に表示させる、
取引処理システム。
【請求項７】
請求項１に記載の取引処理システムであって、
前記表示部は、前記取引処理装置が前記ドッキング装置に装着される前に、前記決済アプリケーションの操作画面を表示し、
前記決済アプリケーションの操作画面は、前記ドッキング装置への装着に応じて、前記外部ディスプレイに表示される、
取引処理システム。
【請求項８】
請求項２に記載の取引処理システムであって、
前記表示部は、前記取引処理装置が前記ドッキング装置に装着される前に、商品登録に関する業務アプリケーションの操作画面を表示し、
前記商品登録に関する業務アプリケーションの操作画面は、前記ドッキング装置への装着に応じて、前記外部ディスプレイに表示され、前記取引処理装置は、前記決済アプリケーションの操作画面を前記表示部に表示させる、
取引処理システム。
【請求項９】
表示部を有し、前記表示部を用いて決済アプリケーション及び業務アプリケーションのうち少なくとも１つを実行可能な可搬型の取引処理装置と、
前記決済アプリケーション又は前記業務アプリケーションに使用される少なくとも１つの周辺機器と接続され、前記取引処理装置の装着及び取外しが可能なドッキング装置と、を備えた取引処理システムにおける取引処理方法であって、
前記周辺機器は、前記表示部より大きな表示領域を有する外部ディスプレイであり、
前記取引処理装置は、前記決済アプリケーション又は前記業務アプリケーションの操作画面を前記表示部に表示させ、
前記取引処理装置は、前記ドッキング装置に装着されると、前記表示部に表示された前記決済アプリケーション又は前記業務アプリケーションの操作画面のデータを、前記ドッキング装置に出力し、
前記ドッキング装置は、前記取引処理装置からの前記操作画面のデータを前記外部ディスプレイに出力し、
前記外部ディスプレイは、前記ドッキング装置からの前記操作画面のデータを用いて、前記決済アプリケーション又は前記業務アプリケーションの操作画面を表示する、
取引処理方法。
【請求項１０】
表示部と、
前記表示部を用いて、決済アプリケーション及び業務アプリケーションのうち少なくとも１つの実行を制御するアプリケーション制御部と、
前記決済アプリケーション又は前記業務アプリケーションに使用される少なくとも１つの周辺機器と接続されたドッキング装置との間で通信の接続及び認証を行う認証部と、を備え、
前記周辺機器は、前記表示部より大きな表示領域を有する外部ディスプレイであり、
前記アプリケーション制御部は、前記ドッキング装置との間の通信及び前記ドッキング装置への装着が前記認証部により認証された場合に、前記表示部に表示された前記決済アプリケーション又は前記業務アプリケーションの操作画面を、前記ドッキング装置を介して、前記外部ディスプレイに切り替えて表示させる、
取引処理装置。
【請求項１１】
表示部を有し、コンピュータである取引処理装置に、
決済アプリケーション及び業務アプリケーションのうち少なくとも１つを実行し、
前記決済アプリケーション又は前記業務アプリケーションに使用され、かつ前記表示部より大きな表示領域を有する外部ディスプレイに接続されたドッキング装置との間で通信の接続及び認証を行い、
前記ドッキング装置との間の通信及び前記ドッキング装置への装着が認証された場合に、前記表示部に表示された前記決済アプリケーション又は前記業務アプリケーションの操作画面を、前記ドッキング装置を介して、前記外部ディスプレイに切り替えて表示させる、それぞれの処理を実現させるための、
プログラム。
【発明の詳細な説明】
【技術分野】
【０００１】
本発明は、商取引における商品登録処理及び決済処理のうち少なくとも１つの手続を行うために使用される取引処理システム、取引処理方法、取引処理装置及びプログラムに関する。
【背景技術】
【０００２】
店舗（例えばコンビニエンスストア）では、商取引（例えば商品の販売。以下同様。）における売上対象となった商品の品目を、キャッシュレジスター等のＰＯＳ（Point Of Sales）ターミナルに登録する商品登録処理が一般的に行われている。ＰＯＳターミナルは、特許文献１に示す固定スキャナ付ＰＯＳターミナルのように据置型であり、例えば店舗の専用カウンターに固定的に設置されていることが多い。特許文献１に示す固定スキャナ付ＰＯＳターミナルでは、固定スキャナが、支持手段を介して、上下方向及び前後左右方向に移動可能でかつ傾動及び回転可能となるように、ＰＯＳターミナルの支持台によって支持されている。なお、商品登録処理では、店員は、上記固定スキャナを用いずに、ＰＯＳターミナルに設けられたタッチパネルに対し、売上対象となった商品の品目を直接タッチ入力し、又は商品登録用のアプリケーションが実行可能にインストールされた可搬型の取引処理装置のタッチパネルに表示された商品の品目をタッチ入力することもある。
【０００３】
また、商取引に要した金額を支払うためにカード（例えばクレジットカード）を用いた決済処理が行われる際、例えば上記ＰＯＳターミナルは、カードの所有者に対する与信照会がなされて特に問題ない旨の応答が得られた場合に、通信回線を介してＰＯＳターミナルと接続された決済先装置（例えば決済センタが運営する決済センタ装置、又は決済中継センタが運営する決済中継センタ装置）に売上情報を送信する（売上登録）。また、この決済処理では、ＰＯＳターミナルではなく、決済処理用のアプリケーションが実行可能にインストールされかつ決済先装置と通信可能な可搬型の取引処理装置（例えば決済端末）が使用されることもある。
【先行技術文献】
【特許文献】
【０００４】
【特許文献１】特開平４−２７９９９５号公報
【発明の概要】
【発明が解決しようとする課題】
【０００５】
特許文献１にも開示があるように、店舗に設置されるＰＯＳターミナル自体又はその周辺には、例えば商品の品目や数量が入力されるキーボード、商品の売上に関するレシートを印字するプリンタ、現金を格納するドロワ、顧客に売買金額を表示するディスプレイ等の周辺機器が設けられ又は接続される。特許文献１のＰＯＳターミナルは店舗の専用カウンター等に設置されているので、店員の商品登録処理や決済処理の手続時における操作の利便性を向上するためには、可搬型の取引処理装置と上記周辺機器とを連携して使用したり、取引処理装置を単独で使用したりする等の使い分けが可能であると好ましい。しかし特許文献１には、可搬型の取引処理装置を用いて商品登録処理及び決済処理のうち少なくとも１つの手続を行うことは考慮されていないので、可搬型の取引処理装置と上記周辺機器とを連携して使用することはできない。
【０００６】
例えば、取引処理装置の可搬性を考慮すると、上記周辺機器のディスプレイの大きさに比べてタッチパネルの大きさには制約が生じるので、取引処理装置を単独で使用する場合、商品登録用のアプリケーションの画面や決済処理用のアプリケーションの画面の大きさが、ユーザである店員の操作時の利便性を向上させることが難しいという課題がある。また、可搬型の取引処理装置と周辺機器のディスプレイとを連携して使用する場合には、ディスプレイの使用設定の手続を予め行う必要があるので、煩雑な設定操作が求められる。
【０００７】
本発明は、上述した課題を解決するために、可搬型の取引処理装置と商品登録処理及び決済処理のうち少なくとも１つの手続に使用される周辺機器とを連携して使用する場合に、煩雑な設定操作を必要とせずに、簡易な操作で、取引処理装置を単独で使用する場合の商品登録処理及び決済処理のうち少なくとも１つの操作画面に比べてワイドな操作画面を周辺機器に表示してユーザの操作時の利便性を向上する取引処理システム、取引処理方法、取引処理装置及びプログラムを提供することを目的とする。
【課題を解決するための手段】
【０００８】
本発明は、表示部を有し、前記表示部を用いて決済アプリケーション及び業務アプリケーションのうち少なくとも１つを実行可能な可搬型の取引処理装置と、前記決済アプリケーション又は前記業務アプリケーションに使用される少なくとも１つの周辺機器と接続され、前記取引処理装置の装着及び取外しが可能なドッキング装置と、を備え、前記周辺機器は、前記表示部より大きな表示領域を有する外部ディスプレイであり、前記取引処理装置は、前記ドッキング装置への装着に応じて、前記表示部に表示された前記決済アプリケーション又は前記業務アプリケーションの操作画面を、前記ドッキング装置を介して前記外部ディスプレイに切り替えて表示させる、取引処理システムである。
【０００９】
また、本発明は、表示部を有し、前記表示部を用いて決済アプリケーション及び業務アプリケーションのうち少なくとも１つを実行可能な可搬型の取引処理装置と、前記決済アプリケーション又は前記業務アプリケーションに使用される少なくとも１つの周辺機器と接続され、前記取引処理装置の装着及び取外しが可能なドッキング装置と、を備えた取引処理システムにおける取引処理方法であって、前記周辺機器は、前記表示部より大きな表示領域を有する外部ディスプレイであり、前記取引処理装置は、前記決済アプリケーション又は前記業務アプリケーションの操作画面を前記表示部に表示させ、前記取引処理装置は、前記ドッキング装置に装着されると、前記表示部に表示された前記決済アプリケーション又は前記業務アプリケーションの操作画面のデータを、前記ドッキング装置に出力し、前記ドッキング装置は、前記取引処理装置からの前記操作画面のデータを前記外部ディスプレイに出力し、前記外部ディスプレイは、前記ドッキング装置からの前記操作画面のデータを用いて、前記決済アプリケーション又は前記業務アプリケーションの操作画面を表示する、取引処理方法である。
【００１０】
また、本発明は、表示部と、前記表示部を用いて、決済アプリケーション及び業務アプリケーションのうち少なくとも１つの実行を制御するアプリケーション制御部と、前記決済アプリケーション又は前記業務アプリケーションに使用される少なくとも１つの周辺機器と接続されたドッキング装置との間で通信の接続及び認証を行う認証部と、を備え、前記周辺機器は、前記表示部より大きな表示領域を有する外部ディスプレイであり、前記アプリケーション制御部は、前記ドッキング装置との間の通信及び前記ドッキング装置への装着が前記認証部により認証された場合に、前記表示部に表示された前記決済アプリケーション又は前記業務アプリケーションの操作画面を、前記ドッキング装置を介して、前記外部ディスプレイに切り替えて表示させる、取引処理装置である。
【００１１】
更に、本発明は、表示部を有し、コンピュータである取引処理装置に、決済アプリケーション及び業務アプリケーションのうち少なくとも１つを実行し、前記決済アプリケーション又は前記業務アプリケーションに使用され、かつ前記表示部より大きな表示領域を有する外部ディスプレイに接続されたドッキング装置との間で通信の接続及び認証を行い、前記ドッキング装置との間の通信及び前記ドッキング装置への装着が認証された場合に、前記表示部に表示された前記決済アプリケーション又は前記業務アプリケーションの操作画面を、前記ドッキング装置を介して、前記外部ディスプレイに切り替えて表示させる、それぞれの処理を実現させるための、プログラムである。
【発明の効果】
【００１２】
本発明によれば、可搬型の取引処理装置と商品登録処理及び決済処理のうち少なくとも１つの手続に使用される周辺機器とを連携して使用する場合に、煩雑な設定操作を必要とせずに、簡易な操作で、取引処理装置を単独で使用する場合の商品登録処理及び決済処理のうち少なくとも１つの操作画面に比べてワイドな操作画面を周辺機器に表示でき、ユーザの操作時の利便性を向上できる。
【図面の簡単な説明】
【００１３】
【図１】本実施形態の取引処理システムのシステム構成の一例を示す図
【図２】取引処理装置がドッキング装置に装着又は取外しされる様子の一例を説明する図
【図３】取引処理装置がドッキング装置に装着された様子の一例を示す図
【図４】（Ａ）上支持部がヒンジ部を介して下支持部に対してチルト方向（矢印ｖ１方向）に回転したドッキング装置の一例を示す図、（Ｂ）（Ａ）の状態から収容回転部が装置収容部を矢印ｖ２方向に略９０度回転したドッキング装置の一例を示す図、（Ｃ）図３の状態から回転台座部がパン方向（矢印ｖ３方向）に回転したドッキング装置の一例を示す図
【図５】本実施形態の取引処理装置のハードウェア構成の一例を示す図
【図６】本実施形態のドッキング装置のハードウェア構成の一例を示す図
【図７】（Ａ）取引処理装置において実行可能なカード決済アプリケーションの操作画面が取引処理装置のタッチパネルに表示された第１例を示す図、（Ｂ）取引処理装置において実行可能なカード決済アプリケーションの操作画面が取引処理装置のタッチパネルに表示された第２例を示す図
【図８】取引処理装置において実行可能な商品登録アプリケーションの操作画面が取引処理装置のタッチパネルに表示された一例を示す図
【図９】本実施形態の取引処理装置の動作手順の第１例を説明するフローチャート
【図１０】本実施形態の取引処理装置の動作手順の第２例を説明するフローチャート
【図１１】図１０に示す表示データを受けたドッキング装置及び外部ディスプレイの動作手順の第１例を説明するフローチャート
【図１２】ドッキング装置から取外された場合の取引処理装置の動作手順の第１変形例を説明するフローチャート
【図１３】ドッキング装置から取外された場合の取引処理装置の動作手順の第２変形例を説明するフローチャート
【図１４】ドッキング装置から取外された場合の取引処理装置の動作手順の第３変形例を説明するフローチャート
【図１５】ドッキング装置から取外された場合の取引処理装置の動作手順の第４変形例を説明するフローチャート
【図１６】本実施形態の取引処理装置の動作手順の第３例を説明するフローチャート
【図１７】ドッキング装置から取外された場合の取引処理装置の内蔵ディスプレイに表示されるアプリケーションの画面を規定するテーブルの一例を示す図
【図１８】外部ディスプレイに表示された商品登録アプリケーションの操作画面の一例を示す図
【図１９】取引処理装置の内蔵ディスプレイに表示された商品登録アプリケーションの操作画面の一例を示す図
【発明を実施するための形態】
【００１４】
以下、適宜図面を参照しながら、本発明に係る取引処理システム、取引処理方法、取引処理装置及びプログラムを具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１５】
（取引処理システムのシステム構成）
先ず、本実施形態の取引処理システム１０００のシステム構成について、図１を参照して説明する。図１は、本実施形態の取引処理システム１０００のシステム構成の一例を示す図である。図１に示す取引処理システム１０００は、例えばコンビニエンスストア又はスーパーマーケット等の店舗に設置され、取引処理装置１００と、ドッキング装置２００と、レシートプリンタ３００と、キャッシュドロワ４００と、外部ディスプレイ５００と、カスタマディスプレイ５５０と、ピンパッド（ＰＩＮＰＡＤ）６００と、サインパッド６５０と、キーボード７００と、マウス７５０と、バーコードリーダ８００とを含む構成である。以下、レシートプリンタ３００、キャッシュドロワ４００、外部ディスプレイ５００、カスタマディスプレイ５５０、ピンパッド６００、サインパッド６５０、キーボード７００、マウス７５０及びバーコードリーダ８００のうち少なくとも１つを、「周辺機器」という場合がある。
【００１６】
また、取引処理システム１０００において、取引処理装置１００が装着されたドッキング装置２００は、ネットワークＮＷを介して、取引処理装置１００において実行可能にインストールされた決済アプリケーションにおける決済先装置（例えば、後述するサードパーティプロセッサが運営する決済中継センタ装置、又は、イシュア若しくはアクワイヤラが運営する決済センタ装置）に接続されている。
【００１７】
ネットワークＮＷは、例えばイントラネット又はインターネットである。イントラネットは、例えば取引処理装置１００が配備された店舗内の無線又は有線のローカルエリアネットワークである。インターネットは、無線ネットワーク又は有線ネットワークをインターフェースとして接続されたネットワークである。無線ネットワークは、例えば無線ＬＡＮ（Local Area Network）、無線ＷＡＮ（Wide Area Network）、３Ｇ、ＨＳＰＡ（High Speed Packet Access）、ＬＴＥ（Long Term Evolution）又はＷｉＧｉｇ（Wireless Gigabit）である。有線ネットワークは、例えばＩＥＥＥ８０２．３／イーサネット（登録商標）（ＥＴＨＥＲＮＥＴ（登録商標））である。また、ネットワークＮＷは、例えば３Ｇ、ＨＳＰＡ又はＬＴＥを用いて構成されたワイドエリアネットワークでもよく、他には既存の電話回線を用いて構成されたネットワークでもよい。また、ネットワークＮＷは、Ｗｉｆｉ（登録商標）のスポット（Ｓｐｏｔ）であるアクセスポイントを介したインターネット接続網など、他の接続網を用いてもよい。また、上記インターネットは、イントラネット又は専用線などの他の接続網を用いてもよい。
【００１８】
決済中継センタ装置は、サードパーティプロセッサ（即ち、イシュア（カードの発行会社）若しくはアクワイヤラ（特定のカード取引を取り扱う加盟店を募集し、加盟店のカード取引に基づく売上情報を統括する会社）から業務委託を受けて各加盟店からの決済処理の中継を代行する会社）における決済中継処理用のサーバ装置である。決済中継センタ装置は、ネットワークＮＷを介して、取引処理装置１００から商取引の決済処理の与信照会又は売上登録の要求を受け、与信するか否かの判断の照会を決済センタ装置に対して問い合わせし、更に、売上登録の処理を決済センタ装置に依頼する。
【００１９】
決済センタ装置は、例えば加盟店と直接に加盟店契約を結んでいるイシュア若しくはアクワイヤラが運営する決済処理用のサーバ装置である。決済センタ装置は、決済中継センタ装置からの判断の問い合わせに応じて、与信結果若しくは与信照会の判断結果又は売上登録の処理結果を、決済中継センタ装置を介して取引処理装置１００に応答する。また、決済センタ装置ＳＴＬＣ２は、ネットワークＮＷを介して、取引処理装置１００から商取引の決済処理の与信照会又は売上登録の要求を受け、与信するか否かの判断を行い、その与信照会の判断結果又は売上登録の処理結果を、取引処理装置１００に直接応答してもよい。
【００２０】
取引処理装置１００は、例えば店員が片手又は両手で容易に把持可能なタブレット端末のような可搬型の筐体を有し、取引処理装置１００が配備される店舗の業務において必要となる決済アプリケーション及び汎用の業務アプリケーション（例えば商品登録アプリケーション、在庫管理アプリケーション）のうち少なくとも１つが実行可能にインストールされた決済端末装置である。以下、取引処理装置を、ＭＰＯＳ（Mobile Point Of Sales）と略記する場合がある。取引処理装置１００は、カードを用いた取引の決済処理に関する各種事項の情報（決済情報）がユーザ（例えば店員又は顧客）によってタッチパネルＴＰ２，ＴＰ１において入力されたり、カードのカード番号及び有効期限を読み取ったりする。
【００２１】
また、取引処理装置（MPOS）１００は、ドッキング装置２００に装着されている場合には（図３参照）、ドッキング装置２００及びネットワークＮＷを介して、決済先装置ＳＴＬＣ（例えば決済中継センタ装置又は決済センタ装置）との間で、カード（例えばＩＣクレジットカード。以下同様。）を用いた商取引の決済処理に関する通信を行う。また、取引処理装置１００は、ドッキング装置２００から取外されている場合でも、不図示のネットワークを介して、決済先装置ＳＴＬＣとの間で、カードを用いた商取引の決済処理に関する通信を行ってもよい。取引処理装置１００の具体的な構成については、図５を参照して説明する。
【００２２】
ドッキング装置（DOCKING STATION）２００は、取引処理装置１００にインストールされた決済アプリケーション及び汎用の業務アプリケーションのうち少なくとも１つに使用される少なくとも１つの周辺機器（図１参照）と接続され、取引処理装置１００の装着及び取外しを可能とする（図２及び図３参照）。
【００２３】
周辺機器の一例としてのレシートプリンタ（RECEIPT PRINTER）３００は、ドッキング装置２００とキャッシュドロワ４００とに接続され、商取引に関する決済が正常に終了した場合に、ドッキング装置２００から出力された所定の控票（例えば顧客控及び店舗控）の印字データを用いて、所定の控票を印字する。また、レシートプリンタ３００は、例えば控票を印字した場合に、取引処理装置１００からの制御信号に応じて、キャッシュドロワ４００に内蔵されたスイッチをＯＦＦ状態（施錠状態）からＯＮ状態（開錠状態）に切り替えてキャッシュドロワ４００を開方向に押し出す。なお、この制御信号は、取引処理装置１００がドッキング装置２００に装着して接続されている場合に、取引処理装置１００から送出されてドッキング装置２００において受信された信号であり、ドッキング装置２００を介してレシートプリンタ３００に送信される。
【００２４】
周辺機器の一例としてのキャッシュドロワ（CASH DRAWER）４００は、レシートプリンタ３００とのみ接続され、取引処理システム１０００が設置される店舗が所有する現金を厳重に格納する。
【００２５】
周辺機器の一例としての外部ディスプレイ（EXTERNAL DISPLAY）５００は、ドッキング装置２００に接続され、取引処理装置１００の内蔵ディスプレイ３４ｂより大きな表示領域を有するディスプレイ装置である。なお、外部ディスプレイ５００は、店員又は顧客のタッチ入力を検出可能なタッチパネルにより構成されてもよい。
【００２６】
周辺機器の一例としてのカスタマディスプレイ（CUSTOMER DISPLAY）５５０は、ドッキング装置２００に接続され、所定サイズの表示領域を有するディスプレイ装置であり、例えば顧客の商取引に関する売買金額（決済金額）を顧客が見易い方向に向けて表示する。なお、カスタマディスプレイ５５０は、店員又は顧客のタッチ入力を検出可能なタッチパネルにより構成されてもよい。
【００２７】
周辺機器の一例としてのピンパッド（PINPAD）６００は、ドッキング装置２００に接続され、カードを用いた決済アプリケーションの実行中に、カードの正当な所有者が顧客本人であることを認証するための認証情報としてのＰＩＮ（Personal Identification Number）を顧客に入力させるための入力装置である。
【００２８】
周辺機器の一例としてのサインパッド（SIGNPAD）６５０は、ドッキング装置２００に接続され、カードを用いた決済アプリケーションの実行中に、カードの正当な所有者が顧客本人であることを認証するための認証情報としての手書きによる署名の電子データを顧客に入力させるための入力装置である。
【００２９】
周辺機器の一例としてのキーボード（KEYBOARD）７００は、ドッキング装置２００に接続され、取引処理装置１００において実行可能なアプリケーションの操作画面に対して文字や数字を入力するために店員により使用される。
【００３０】
周辺機器の一例としてのマウス（MOUSE）７５０は、ドッキング装置２００に接続され、取引処理装置１００において実行可能なアプリケーションの操作画面に対して特定の項目を選択するために店員により使用される。
【００３１】
周辺機器の一例としてのバーコードリーダ（BARCODE READER）８００は、ドッキング装置２００に接続され、商取引の対象となる商品又はクーポン等に付与されたバーコードを読み取るために店員により使用される。
【００３２】
（取引処理装置のドッキング装置への装着及び取外し）
次に、取引処理装置１００のドッキング装置２００への装着及び取外しについて、図２、図３及び図４（Ａ）〜図４（Ｃ）を参照して説明する。図２は、取引処理装置１００がドッキング装置２００に装着又は取外しされる様子の一例を説明する図である。図３は、取引処理装置１００がドッキング装置２００に装着された様子の一例を示す図である。図４（Ａ）は、上支持部ＳＵＳ２がヒンジ部ＨＮＧを介して下支持部ＳＵＳ１に対してチルト方向（矢印ｖ１方向）に回転したドッキング装置２００の一例を示す図である。図４（Ｂ）は、図（Ａ）の状態から収容回転部ＲＴＳ２が装置収容部ＥＣＰを矢印ｖ２方向に略９０度回転したドッキング装置２００の一例を示す図である。図４（Ｃ）は、図３の状態から回転台座部ＲＴＳ１がパン方向（矢印ｖ３方向）に回転したドッキング装置２００の一例を示す図である。
【００３３】
ドッキング装置２００は、例えば店舗のレジカウンター等の所定位置に配置され、四角柱状の固定台座部ＢＡＳの略中心位置に設けられた円柱状の回転台座部ＲＴＳ１から鉛直方向の上方に向かって起立する支持部ＳＵＳによって支持された装置収容部ＥＣＰを有する。回転台座部ＲＴＳ１は、固定台座部ＢＡＳに対して１８０度回転する（図４（Ｃ）参照）。装置収容部ＥＣＰは、上固定部ＵＬＫと下固定部ＤＬＫとを有し、上固定部ＵＬＫと下固定部ＤＬＫとの間に形成される装置収容空間ＥＣＰＶにおいて取引処理装置１００を露出するように収容して固定する。上固定部ＵＬＫには錠部Ｊ２が形成され、取引処理装置１００がドッキング装置２００の装置収容空間ＥＣＰＶに装着されてからドライバー等の工具により施錠されると、上固定部ＵＬＫと下固定部ＤＬＫとが取引処理装置１００を上方向及び下方向の両方から挟み込むようにロックする。これにより、取引処理装置１００がドッキング装置２００に対して物理的に装着される。
【００３４】
取引処理装置１００は、ドッキング装置２００に装着された場合（図３参照）でも取外された場合（図２参照）でも、例えば非セキュア領域ＴＡ（図５参照）に設けられたタッチパネルＴＰ２に対する店員の入力操作を受付可能であり、更に、セキュア領域ＳＡ（図５参照）に設けられたタッチパネルＴＰ１に対する顧客の入力操作を受付可能である。
【００３５】
また、取引処理装置１００は、取引処理装置１００の筐体の非セキュア領域ＴＡ側の短手方向の側面に磁気カードリーダ部４３ａが設けられ、一方、取引処理装置１００の筐体のセキュア領域ＳＡ側の短手方向の側面に接触ＩＣカードリーダ部４３ｂが設けられている。取引処理装置１００の筐体の非セキュア領域ＴＡ側（つまり、タッチパネルＴＰ２と略平行となる側）には、後述する非接触ＩＣカードリーダライタ部４３ｃに接続されたループアンテナＬＡ１が設けられている。取引処理装置１００は、ドッキング装置２００に装着された場合（図３参照）でも取外された場合（図２参照）でも、磁気カードリーダ部４３ａにおいて磁気カードを読取可能であり、接触ＩＣカードリーダ部４３ｂにおいて接触ＩＣカードを読取可能であり、更に、店員の操作によりループアンテナＬＡ１の近傍に翳された非接触ＩＣカードを非接触ＩＣカードリーダライタ部４３ｃにおいて読取可能である。
【００３６】
取引処理装置１００が装着された状態のドッキング装置２００は、図４（Ａ）〜図４（Ｃ）に示すように、種々の向きに回転可能である。例えば図４（Ａ）に示すように、ドッキング装置２００は、上支持部ＳＵＳ２がヒンジ部ＨＮＧを介して下支持部ＳＵＳ１に対してチルト方向（矢印ｖ１方向）に回転可能である。図２又は図３に示す支持部ＳＵＳは、回転台座部ＲＴＳ１から起立する下支持部ＳＵＳ１、下支持部ＳＵＳ１に対して上支持部ＳＵＳ２をチルト方向に回転させるヒンジ部ＨＮＧ、装置収容部ＥＣＰを支持する下支持部ＳＵＳ１の順に接続された構成である（図４（Ａ）参照）。これにより、店員又は顧客は、取引処理装置１００のタッチパネルＴＰ２，ＴＰ１を店舗の天井面に向くようにドッキング装置２００を回転させて、タッチパネルＴＰ２，ＴＰ１への操作を簡易に入力できる。
【００３７】
また、図４（Ｂ）に示すように、ドッキング装置２００は、図４（Ａ）に示す状態から、収容回転部ＲＴＳ２（図４（Ｃ）参照）が装置収容部ＥＣＰを矢印ｖ２方向に略９０度回転可能である。これにより、店員又は顧客は、取引処理装置１００の筐体の長手方向が鉛直方向と平行になるように取引処理装置１００のタッチパネルＴＰ２，ＴＰ１を回転できるので、タッチパネルＴＰ２，ＴＰ１に表示される文字や数字を含むアプリケーションの操作画面が店員又は顧客にとって見易くなり、操作画面に対する操作が容易になる。
【００３８】
また、図４（Ｃ）に示すように、ドッキング装置２００は、図３の状態（つまり、取引処理装置１００がドッキング装置２００に装着された状態）から回転台座部ＲＴＳ１がパン方向（矢印ｖ３方向）に回転可能である。これにより、店員は、取引処理装置１００のタッチパネルＴＰ２に表示されたアプリケーションの操作画面を店員自身に向けたり顧客に向けたりできるので、店員自身にとっても店員と対面している顧客にとってもタッチパネルＴＰ２への操作を簡単に行うことができる。
【００３９】
（取引処理装置の構成）
次に、本実施形態の取引処理装置１００のハードウェア構成について、図５を参照して説明する。図５は、本実施形態の取引処理装置１００のハードウェア構成の一例を示す図である。図５に示す取引処理装置１００は、非セキュア領域ＴＡ及びセキュア領域ＳＡを備える。ここでいう「セキュア」とは、耐タンパ性を備えることを意味する。「非セキュア」とは、耐タンパ性を備えていないことを意味する。「耐タンパ性」とは、装置内部のソフトウェアやハードウェアの不正な解析、改変又は装置内部の情報の不正な奪取、改変、利用不能にする攻撃に対する耐性のことを言う。即ち、耐タンパ性は、例えばソフトウェア又はハードウェアが備える内部構造や記憶しているデータの解析の困難さである。耐タンパ性を備えることで、サービス享受者（例えば顧客）の情報を保護し、取引を安全に行うことができる。
【００４０】
セキュア領域ＳＡには、物理的な不正行為（例えば取引処理装置１００の破壊、損傷）が行われたか否かを検知するタンパ検知回路２０と、メモリ内蔵ＣＰＵ２１と、第１のＩＦ（Interface）部２２と、第１のタッチ入力検出部２３ａと、内蔵ディスプレイ２３ｂと、電源部２４と、バッテリ２５とが設けられる。第１のタッチ入力検出部２３ａと内蔵ディスプレイ２３ｂとにより、タッチパネルＴＰ１が構成される。メモリ内蔵ＣＰＵ２１には、第１のＣＰＵ２１ａと、第１のフラッシュＲＯＭ（Read Only Memory）２１ｂと、第１のＲＡＭ（Random Access Memory）２１ｃとが設けられる。
【００４１】
セキュア領域ＳＡでは、第１のＣＰＵ２１ａに対して、各種の構成部が電気的・論理的に接続される。第１のＣＰＵ２１ａは、セキュア領域ＳＡにおける構成部の全体を統括する。第１のＣＰＵ２１ａは、例えば第１のフラッシュＲＯＭ２１ｂに格納されたプログラムを実行することで、各種制御、処理、設定、判定、決定、確認、認証、照合（例えばＰＩＮ、署名の照合）、指示等を行う。
【００４２】
第１のフラッシュＲＯＭ２１ｂは、決済先装置ＳＴＬＣ（図１参照、例えば決済中継センタ装置又は決済センタ装置）との間の通信に使用する暗号鍵、ＰＩＮ等の個人情報、その他決済に関する決済情報等の秘匿情報や、取引処理装置１００が決済のＰＩＮ入力受付と照合とを実行するためのプログラム等を記憶する。第１のフラッシュＲＯＭ２１ｂは、第１のＣＰＵ２１ａにおける情報処理用のプログラム及びデータを記憶する記憶媒体の一例である。
【００４３】
第１のＲＡＭ２１ｃは、例えば取引処理装置１００（例えばセキュア領域ＳＡ）の決済のＰＩＮ入力受付と照合等に伴う処理等の際に、処理途中において発生する処理データを、一時的に記憶するために用いられるワーキングメモリである。
【００４４】
タンパ検知回路２０は、セキュア領域ＳＡを常時監視しており、セキュア領域ＳＡの物理的不正行為（例えば取引処理装置１００のセキュア領域ＳＡの分解、破壊又は開封）を検知する。言い換えると、タンパ検知回路２０は、セキュア領域ＳＡにおける異常の有無を検知する。タンパ検知回路２０により上記物理的不正行為の事象が検知された場合には、メモリ内蔵ＣＰＵ２１又は第２のＣＰＵ３１は、決済アプリケーションにおける決済処理を強制的に停止させてもよいし、タッチパネルＴＰ１，ＴＰ２のうち少なくとも１つにおいて、セキュア領域ＳＡにおいて物理的不正行為があった旨を報知してもよい。
【００４５】
第１のＩ／Ｆ部２２は、非セキュア領域ＴＡとセキュア領域ＳＡとを電気的に接続するために設けられ、第２のＩ／Ｆ部３６を介して、非セキュア領域ＴＡとセキュア領域ＳＡとの間で各種のデータやコマンドの受け渡しを行う。第１のＩ／Ｆ部２２と第２のＩ／Ｆ部３６とは、互いに結合可能である。
【００４６】
第１のタッチ入力検出部２３ａは、タッチパネルＴＰ１に対する店員又は顧客のタッチ入力を検出する。例えば第１のタッチ入力検出部２３ａは、ＰＩＮを入力するための物理的なキーパッド又はソフトウェアキーボードとしてのピンパッドへの入力を検出してもよい。第１のタッチ入力検出部２３ａは、例えば指又はスタイラスペンを用いて、署名の入力を検出してもよい。第１のタッチ入力検出部２３ａは、例えば指又はスタイラスペンを用いて、ＰＩＮの手書き入力を検出してもよい。
【００４７】
内蔵ディスプレイ２３ｂは、例えばＬＣＤ（Liquid Crystal Display）又は有機ＥＬ（Electroluminescence）を用いて構成され、例えば決済アプリケーションにおいて顧客の認証情報（例えばＰＩＮ、署名）を入力させるための所定データ（例えばテンキー）を表示する。なお、内蔵ディスプレイ２３ｂに表示されるデータは、テンキーに限定されない。
【００４８】
電源部２４は、セキュア領域ＳＡの電源であり、バッテリ２５から電源の供給を受けて、セキュア領域ＳＡ（例えば第１のＣＰＵ２１ａ）へ電源を供給する。第１のＣＰＵ２１ａは、電源部２４を制御することで、セキュア領域ＳＡに配された一部又は全体の回路に対して、電源供給及び電源供給の停止が可能である。
【００４９】
非セキュア領域ＴＡには、第２のＣＰＵ３１と、第２のフラッシュＲＯＭ３２と、第２のＲＡＭ３３と、第２のタッチ入力検出部３４ａと、表示部の一例としての内蔵ディスプレイ３４ｂと、第２のＩ／Ｆ部３６と、電源部３７と、バッテリ３８と、アウトカメラ３９と、局所無線通信アンテナ４０ａが接続された局所無線通信部４０と、広域無線通信アンテナ４１ａが接続された広域無線通信部４１と、キー入力部４２と、磁気カードリーダ部４３ａと、接触ＩＣカードリーダ部４３ｂと、ループアンテナＬＡ１が接続された非接触ＩＣカードリーダライタ部４３ｃと、加速度センサ４５と、ドッキング装置Ｉ／Ｆ部４６とが設けられる。第２のタッチ入力検出部３４ａと内蔵ディスプレイ３４ｂとにより、タッチパネルＴＰ２が構成される。
【００５０】
非セキュア領域ＴＡでは、第２のＣＰＵ３１に対して、各種の構成部が電気的・論理的に接続される。第２のＣＰＵ３１は、非セキュア領域ＴＡにおける構成部の全体を統括する。第２のＣＰＵ３１は、例えば第２のフラッシュＲＯＭ３２に格納されたプログラムを実行することで、各種制御、処理、設定、判定、指示等を行う。また、アプリケーション制御部の一例としての第２のＣＰＵ３１は、店員の操作に応じて、第２のフラッシュＲＯＭ３２に格納された各種のアプリケーションを起動して実行したり、その実行の中断又は終了を行ったりする。
【００５１】
第２のフラッシュＲＯＭ３２は、各種のデータ及びプログラムを記憶する。記憶されるデータ及びプログラムは、決済アプリケーション及び業務アプリケーション（例えば商品登録アプリケーション、在庫管理アプリケーション、その他日常的に使用される文書作成アプリケーション、表計算アプリケーション）において使用されるプログラム及びデータであり、更に、取引処理装置１００（例えば非セキュア領域ＴＡ）を制御するためのプログラムでもよい。従って、第２のフラッシュＲＯＭ３２は、第２のＣＰＵ３１における情報処理用のプログラム及びデータを記憶する記憶媒体の一例である。
【００５２】
第２のＲＡＭ３３は、例えば取引処理装置１００（例えば非セキュア領域ＴＡにおける構成部）の動作に伴う処理等の際に、処理途中において発生する処理データを、一時的に記憶するために用いられるワーキングメモリである。
【００５３】
第２のタッチ入力検出部３４ａは、タッチパネルＴＰ２に対する店員又は顧客のタッチ入力を検出する。例えば第２のタッチ入力検出部３４ａは、タッチパネルＴＰ２に表示された決済アプリケーション及び業務アプリケーション（例えば商品登録アプリケーション）のうち少なくとも１つの操作画面に対する入力を検出する。
【００５４】
内蔵ディスプレイ３４ｂは、例えばＬＣＤ（Liquid Crystal Display）又は有機ＥＬ（Electroluminescence）を用いて構成され、例えば決済アプリケーションにおいてカードを用いた決済処理に関する各種情報（例えば、カードブランド、カード番号、有効期限、金額、支払方法、支払回数）を入力させるための操作画面のデータを表示したり、商品登録アプリケーションにおいて売上の対象となった商品の品目や数量を入力させるための操作画面のデータを表示したりする。なお、内蔵ディスプレイ３４ｂの表示領域の大きさは、外部ディスプレイ５００の表示領域の大きさより小さい。言い換えると、同一のアプリケーションの操作画面でも、内蔵ディスプレイ３４ｂに表示された操作画面より外部ディスプレイ５００に表示された操作画面の方が大きく、店員や顧客にとっても見易くなっている。
【００５５】
第２のＩ／Ｆ部３６は、非セキュア領域ＴＡとセキュア領域ＳＡとを電気的に接続するために設けられ、第１のＩ／Ｆ部２２を介して、非セキュア領域ＴＡとセキュア領域ＳＡとの間で各種のデータやコマンドの受け渡しを行う。第１のＩ／Ｆ部２２と第２のＩ／Ｆ部３６とは、互いに結合可能である。
【００５６】
電源部３７は、非セキュア領域ＴＡの電源であり、バッテリ３８から電源の供給を受けて、非セキュア領域ＴＡ（例えば第２のＣＰＵ３１）へ電源を供給する。第２のＣＰＵ３１は、電源部３７を制御することで、非セキュア領域ＴＡに配された一部又は全体の回路に対して、電源供給及び電源供給の停止が可能である。
【００５７】
アウトカメラ３９は、取引処理装置１００の筐体からレンズ（不図示）が露出するように設けられたカメラであり、例えばキー入力部４２又はタッチパネルＴＰ２に対する操作に応じて、レンズ（不図示）に入射する範囲の光の像を撮像して画像データを得る。
【００５８】
局所無線通信部４０は、局所無線通信アンテナ４０ａと接続され、不図示の局所無線通信路を用いて、例えば無線ＬＡＮを用いた通信を行う。局所無線通信部４０は、無線ＬＡＮ通信以外の通信（例えばＢｌｕｅｔｏｏｔｈ（登録商標）を用いた通信）を行ってもよい。
【００５９】
広域無線通信部４１は、広域無線通信アンテナ４１ａと接続され、不図示の広域無線通信路（例えばＷＡＮ（Wide Area Network））を用いた通信を行う。広域無線通信路における通信は、例えば無線電話回線（Ｗ−ＣＤＭＡ（Wideband Code Division Multiple Access）、ＣＤＭＡ（Code Division Multiple Access）２０００、ＬＴＥ（Long Term Evolution）などの携帯電話回線）を用いて行われてもよい。
【００６０】
キー入力部４２は、例えば取引処理装置１００の筐体に各種のボタンが設けられた場合には、各種のボタンの押下操作を受け付ける。なお、キー入力部４２は、取引処理装置１００の筐体に各種のボタンが設けられていない場合には、取引処理装置１００の構成から省略されてもよい。
【００６１】
磁気カードリーダ部４３ａは、取引処理装置１００の筐体の非セキュア領域ＴＡ側の短手方向の側面に設けられ（図３参照）、当該側面には店員の磁気カードを把持した状態におけるスワイプ操作が可能なスリットが形成されており、スワイプ操作に応じて磁気カードの磁気ストライプを読み取る。なお、磁気カードリーダ部４３ａにより読み取られた磁気ストライプの情報は第２のＣＰＵ３１に入力される。なお、磁気カードリーダ部４３ａは、セキュア領域ＳＡ内に設けられてもよい。
【００６２】
接触ＩＣカードリーダ部４３ｂは、取引処理装置１００の筐体のセキュア領域ＳＡ側の短手方向の側面に設けられた接触ＩＣカードの挿入口（不図示）の内部に配置され（図３参照）、挿入口に挿入された接触ＩＣカード（例えばＩＣクレジットカード）の電極を介して、接触ＩＣカード内のチップ（不図示）に記録されたカード情報を読み取る。なお、接触ＩＣカードリーダ部４３ｂにより読み取られたカード情報は第２のＣＰＵ３１に入力される。なお、接触ＩＣカードリーダ部４３ｂは、セキュア領域ＳＡ内に設けられてもよい。
【００６３】
非接触ＩＣカードリーダライタ部４３ｃは、取引処理装置１００の筐体の非セキュア領域ＴＡ側（つまり、タッチパネルＴＰ２と略平行となる側）に配置されたループアンテナＬＡ１と接続され、所定の近距離無線通信（例えばＮＦＣ（Near Field Communication））を用いて、カード（例えばＩＣクレジットカード）と非接触で無線通信を行い、カードに記録されたカード情報を読み取ったり書き込んだりする。なお、非接触ＩＣカードリーダライタ部４３ｃにより読み取られたカード情報は第２のＣＰＵ３１に入力される。また、非接触ＩＣカードリーダライタ部４３ｃは、取引処理装置１００のループアンテナＬＡ１とドッキング装置２００のループアンテナＬＡ２との通信により、ドッキング装置２００の非接触リーダライタ部７１との間で、ドッキング装置２００に電気的に接続されているか否かを定期的に相互認証してもよい。なお、ループアンテナＬＡ１が接続された非接触ＩＣカードリーダライタ部４３ｃは、セキュア領域ＳＡ内に設けられてもよい。
【００６４】
加速度センサ４５は、取引処理装置１００のＸ軸方向，Ｙ軸方向，Ｚ軸方向（図３に示す３軸方向参照）のそれぞれの加速度を検知し、検知結果を第２のＣＰＵ３１に出力する。加速度センサ４５は、取引処理装置１００の重力方向（鉛直下方向、つまり−Ｚ軸方向）を検知可能である。
【００６５】
認証部の一例としてのドッキング装置Ｉ／Ｆ部４６は、不図示のコネクタを介して、取引処理装置１００とドッキング装置２００とが電気的に接続されているか否かを判断するための定期的な問い合わせ（例えば後述するチャレンジレスポンス処理）を、ドッキング装置２００の装置認証部６３（後述参照）との間で行う。
【００６６】
このように、取引処理装置１００は、セキュア領域ＳＡと非セキュア領域ＴＡとを含む。取引処理装置１００において各種のアプリケーションの実行時に「耐タンパ性」を必要とする「セキュア」な部分は、セキュア領域ＳＡに局所化されている。一方、非セキュア領域ＴＡには、例えば民生機器用に多数流通している情報処理装置（例えばスマートフォン、タブレット端末）やその一部が、汎用的なプラットフォームとして採用される。
【００６７】
非セキュア領域ＴＡにおいて汎用的なプラットフォームを採用することで、決済アプリケーション、及びその他の業務アプリケーションの開発資産の再利用や流用が、容易となる。また、決済アプリケーション及び業務アプリケーションは、例えば高い演算処理能力を有する非セキュア領域ＴＡの第２のＣＰＵ３１により処理されることで、ストレスなく柔軟に動作する。また、決済処理のスキームが多様化された決済アプリケーションや多様な業務アプリケーションが容易に利用できるので、それらが短期間で取引処理装置１００へ搭載可能となる。
【００６８】
（ドッキング装置の構成）
次に、本実施形態のドッキング装置２００のハードウェア構成について、図６を参照して説明する。図６は、本実施形態のドッキング装置２００のハードウェア構成の一例を示す図である。図６では、ドッキング装置２００の動作を便宜的に説明するために、取引処理装置１００も図示されている。図６に示すドッキング装置２００は、メモリ内蔵ＣＰＵ５１と、周辺機器Ｉ／Ｆ部５３と、局所無線通信アンテナ５５ａが接続された局所無線通信部５５と、ＬＡＮ通信部５７と、シリアル変換部５９と、ディスプレイリンク部６１と、装置認証部６３と、給電ＯＮ／ＯＦＦ制御回路６５と、電源回路６７と、電源プラグＰ１が接続されたＡＣ／ＤＣ変換部６９と、ループアンテナＬＡ２が接続された非接触リーダライタ部７１と、施錠判定部Ｊ１と、ドッキングコネクタＣ１と、スピーカＳ１と、ＬＥＤ（Light Emitting Diode）ランプＬ１とを含む構成である。
【００６９】
メモリ内蔵ＣＰＵ５１は、メモリ５１ｍを有し、ドッキング装置２００における構成部の全体を統括する。メモリ内蔵ＣＰＵ５１は、例えばメモリ５１ｍに格納されたプログラムを実行することで、各種制御、処理、設定、判定、認証、確認、照合、指示等を行う。
【００７０】
メモリ５１ｍは、ドッキング装置２００の動作において必要となる各種プログラム及びデータを記憶し、更に、メモリ内蔵ＣＰＵ５１の動作時に発生する処理データを一時的に記憶するためのワーキングメモリとしても機能する。
【００７１】
周辺機器Ｉ／Ｆ部５３は、各種の端子（端子Ｔ１，Ｔ２，Ｔ３，Ｔ４，Ｔ５，Ｔ６，Ｔ７）に接続された各種の周辺機器（図１参照）との間で、直接又はＬＡＮ通信部５７、シリアル変換部５９、ディスプレイリンク部６１を介してデータの受け渡しを行う。周辺機器Ｉ／Ｆ部５３には、端子Ｔ１，Ｔ２，Ｔ３が直接に接続される。端子Ｔ１には、キーボード７００が接続される。端子Ｔ２には、マウス７５０が接続される。端子Ｔ３には、他の周辺機器（例えばピンパッド６００、サインパッド６５０、バーコードリーダ８００が接続される。
【００７２】
局所無線通信部５５は、局所無線通信アンテナ５５ａと接続され、不図示の局所無線通信路を用いて、例えば無線ＬＡＮを用いた通信を行う。局所無線通信部５５は、無線ＬＡＮ通信以外の通信（例えばＢｌｕｅｔｏｏｔｈ（登録商標）を用いた通信）を行ってもよい。
【００７３】
ＬＡＮ通信部５７は、端子Ｔ４と接続され、端子Ｔ４を介して、局所的なネットワーク（例えば店舗のイントラネット）に接続され、このネットワークとの間でデータの送受信を行う。端子Ｔ４には、例えば店舗のイントラネットが接続される。
【００７４】
シリアル変換部５９は、端子Ｔ５と接続され、データのシリアルパラレル変換を行い、端子Ｔ５に接続されるレシートプリンタ３００との間で、取引処理装置１００から送信された所定の控票（例えば顧客控、店舗控）の印字データの送信や、レシートプリンタ３００から送信された印字データの印字処理完了通知の受信を行う。また、シリアル変換部５９は、キャッシュドロワ４００を開方向に押し出すための制御信号を、レシートプリンタ３００を介してキャッシュドロワ４００に送信する。端子Ｔ５には、レシートプリンタ３００が接続される。
【００７５】
ディスプレイリンク部６１は、端子Ｔ６、Ｔ７と接続され、端子Ｔ６，Ｔ７に接続される外部ディスプレイ５００又はカスタマディスプレイ５５０との間で、取引処理装置１００から送信された決済アプリケーション及び業務アプリケーションのうち少なくとも１つの操作画面のデータの受け渡しを行う。端子Ｔ６には、ＶＧＡ（Video Graphical Array）に対応したデータの取扱いが可能な外部ディスプレイ５００又はカスタマディスプレイ５５０が接続される。端子Ｔ７には、ＨＤＭＩ（登録商標）（High-Definition Multimedia Interface）に対応したデータの取扱いが可能な外部ディスプレイ５００又はカスタマディスプレイ５５０が接続される。
【００７６】
装置認証部６３は、チャレンジレスポンス処理部ＣＲを有し、例えば取引処理装置１００とドッキング装置２００との正しい接続を認証するための認証方式として、チャレンジレスポンス処理を定期的に行う。チャレンジレスポンス処理は、例えばチャレンジレスポンス処理部ＣＲ、ドッキングコネクタＣ１、取引処理装置１００のコネクタ（不図示）、ドッキング装置Ｉ／Ｆ部４６、第２のＣＰＵ３１の順にチャレンジデータが渡され、更に、第２のＣＰＵ３１、ドッキング装置Ｉ／Ｆ部４６、取引処理装置１００のコネクタ（不図示）、ドッキングコネクタＣ１、チャレンジレスポンス処理部ＣＲの順に、レスポンスデータが渡される。装置認証部６３は、チャレンジレスポンス処理部ＣＲの処理結果として、正しいレスポンスデータが得られた場合に、正しい取引処理装置１００がドッキング装置２００に装着されて接続されたと判定する。
【００７７】
給電ＯＮ／ＯＦＦ制御回路６５は、電源プラグＰ１に供給された商用電源（電力）がＡＣ／ＤＣ変換部６９による変換（例えば整流処理及び平滑処理）によって得られたＤＣ電力の一部の供給を受け、ドッキングコネクタＣ１を介して、ＤＣ電力を取引処理装置１００に給電するか否かを判断する。ドッキング装置２００には電源プラグＰ１を介して商用電源が常に供給されるが、取引処理装置１００にはバッテリ２５，３８しか搭載されていないので、給電ＯＮ／ＯＦＦ制御回路６５は、取引処理装置１００のバッテリ２５，３８の残容量が所定値未満であると判断した場合には、取引処理装置１００を給電できる。言い換えると、取引処理装置１００は、ドッキング装置２００に装着して接続されていればバッテリ２５，３８の充電が可能となる。
【００７８】
電源回路６７は、ＡＣ／ＤＣ変換部６９による変換（例えば整流処理及び平滑処理）によって得られたＤＣ電力の一部を用いて、ドッキング装置２００の各種の構成部を動作させるための各種の構成部に適合した電源（電力）を供給する。
【００７９】
非接触リーダライタ部７１は、ループアンテナＬＡ２と接続され、ループアンテナＬＡ２と取引処理装置１００のループアンテナＬＡ１との通信により、取引処理装置１００の非接触ＩＣカードリーダライタ部４３ｃとの間で、取引処理装置１００に電気的に接続されているか否かを定期的に相互認証する。
【００８０】
施錠判定部Ｊ１は、スイッチＳＷ１を有し、取引処理装置１００がドッキング装置２００に物理的に装着されて固定されたか否かを判定する。具体的には、施錠判定部Ｊ１は、取引処理装置１００の筐体がドッキング装置２００の装置収容部ＥＣＰに収容されて装着され、かつ錠部Ｊ２がドライバー等の工具により固定された場合にスイッチＳＷ１がＯＮとなり、取引処理装置１００がドッキング装置２００に物理的に装着されて固定されたと判定する。一方、施錠判定部Ｊ１は、取引処理装置１００の筐体がドッキング装置２００の装置収容空間ＥＣＰＶに収容されていない場合、又は収容されて装着されても錠部Ｊ２がドライバー等の工具により固定されていない場合には、スイッチＳＷ１がＯＦＦとなり、取引処理装置１００がドッキング装置２００に物理的に固定されていないと判定する。なお、スイッチＳＷ１のＯＮ／ＯＦＦと取引処理装置１００のドッキング装置２００への装着の有無とが対応するように説明したが、その逆でもよい。言い換えると、スイッチＳＷ１がＯＦＦの場合に取引処理装置１００がドッキング装置２００に物理的に固定され、スイッチＳＷ１がＯＮの場合に取引処理装置１００がドッキング装置２００に物理的に固定されていないとしてもよい。
【００８１】
ドッキングコネクタＣ１は、取引処理装置１００の筐体がドッキング装置２００の装置収容部ＥＣＰにおいて収容して装着された場合に、取引処理装置１００とドッキング装置２００との間を電気的に接続する。
【００８２】
スピーカＳ１は、所定の条件が成立した場合には、メモリ内蔵ＣＰＵ５１の指示により、所定音量の警報音（アラート音）を出力する。
【００８３】
ＬＥＤランプＬ１は、ＬＥＤによる光を発光可能であり、所定の条件が成立した場合には、メモリ内蔵ＣＰＵ５１の指示により、所定色（例えば青色）の光を発光する。
【００８４】
（決済アプリケーションの操作画面の一例）
次に、取引処理装置１００にインストールされている決済アプリケーション（例えばカード決済アプリケーション）の操作画面について、図７（Ａ）及び図７（Ｂ）を参照して説明する。図７（Ａ）は、取引処理装置１００において実行可能なカード決済アプリケーションの操作画面ＷＤ１ａが取引処理装置１００のタッチパネルＴＰ２に表示された第１例を示す図である。図７（Ｂ）は、取引処理装置１００において実行可能なカード決済アプリケーションの操作画面ＷＤ１ｂが取引処理装置１００のタッチパネルＴＰ２に表示された第２例を示す図である。
【００８５】
図７（Ａ）に示す操作画面ＷＤ１ａでは、商取引の決済に使用されるカードのカードブランドが「ＭＥＳＰＯＲ」，「ＶＯＪＡ」，…の中から店員が選択可能に表示されており、また、カードのカード番号及び有効期限、商取引の決済金額、カードの決済方法としての支払方法及び支払回数が入力可能にそれぞれ表示されている。支払回数が入力されると、「次へ」の項目がタッチ入力され、次に入力される決済情報（例えば認証情報としてのＰＩＮ）の入力画面（不図示）が表示される。
【００８６】
図７（Ｂ）に示す操作画面ＷＤ１ｂでは、図７（Ａ）に示す操作画面ＷＤ１ａに加え、顧客が正当なカードの所有者であることを認証するための認証情報（例えばＰＩＮ）を入力させるための入力エリアが更に表示されている。なお、図７（Ｂ）に示す操作画面では、既にカードブランド「ＭＥＳＰＯＲ」が選択され、カード番号「ｘｘｘｘ−ｘｘｘｘ−ｘｘｘｘ−３４５６」とその有効期限（カード番号及び有効期限の入力後は非表示）が入力され、更に、支払金額と、その支払方法として「一括払」が入力されている。
【００８７】
取引処理装置１００は、顧客が正当なカードの所有者であることを認証するための認証情報として、例えばＰＩＮが入力された場合には、店員の入力操作に応じて、カードブランド、カード番号及び有効期限、金額、支払方法、支払回数及びＰＩＮを含む決済処理の与信照会を、直接又はドッキング装置２００を介して、決済先装置ＳＴＬＣに送信する。決済先装置ＳＴＬＣでは、与信照会に対する判断（つまり、決済処理の対象となる顧客に与信しても良いかどうかの判断）がなされ、決済先装置ＳＴＬＣから与信照会の判断結果（例えば与信する旨）が、直接又はドッキング装置２００を介して、取引処理装置１００に送信される。取引処理装置１００は、与信照会の判断結果（例えば与信する旨）を受信すると、商取引の決済処理における金額の売上登録の処理要求を、直接又はドッキング装置２００を介して、決済先装置ＳＴＬＣに送信する。決済先装置ＳＴＬＣでは、取引処理装置１００からの売上登録の処理要求に応じて、売上登録の処理が行われ、売上登録の処理結果が取引処理装置１００に応答される。これにより、取引処理装置１００は、決済アプリケーションにおいて１つの商取引に関する決済処理を正常に終了できたと判定できる。
【００８８】
（商品登録アプリケーションの操作画面の一例）
次に、取引処理装置１００にインストールされている商品登録アプリケーション（つまり、売上の対象となった商品又は役務の品目やその数量を履歴として店舗内又は外部のデータベース（不図示）に登録するためのアプリケーション）の操作画面ＷＤ２について、図８を参照して説明する。図８は、取引処理装置１００において実行可能な商品登録アプリケーションの操作画面ＷＤ２が取引処理装置１００のタッチパネルＴＰ２に表示された一例を示す図である。
【００８９】
図８に示す操作画面ＷＤ２には、売上の対象となった商品又は役務の品目をその数量を入力するための品目数量表示領域ＡＲ２と、品目数量表示領域ＡＲ２において入力された商品若しくは役務の名称、数量、小計（つまり、商品又は役務の単価と数量との積）と、商取引の決済（例えば現金決済又はカード決済）に関する合計額（つまり、顧客の支払金額）とを表示するための登録対象一覧表示領域ＡＲ１とが含まれる。
【００９０】
取引処理装置１００は、商品登録アプリケーションを起動した後、図８に示す操作画面ＷＤ２を内蔵ディスプレイ３４ｂに表示させる。例えば顧客が「紅茶を３つ」、「ビール５００ｍｌを１つ」、「トマトを３つ」、「欧風カレー旨口を１つ」、「低温殺菌牛乳１０００ｍｌを３つ」購入する場合には、店員は、内蔵ディスプレイ３４ｂに表示された操作画面ＷＤ２の品目数量表示領域ＡＲ２に対し、売上の対象となる商品の品目及び数量の組み合わせを順次タッチ入力する。なお、店員は、タッチ入力しなくても、例えばバーコードリーダ８００を用いて、商品に付与されたバーコードを読み取ることで、全ての商品の品目及び数量を入力してもよい。全ての商品の品目及び数量の入力が終了すると、取引処理装置１００は、内蔵ディスプレイ３４ｂに表示された操作画面ＷＤ２の登録対象一覧表示領域ＡＲ１に、売上の対象となった商品、その数量、支払金額を表示させる。これにより、取引処理装置１００は、商品登録アプリケーションの実行中に、図８に示す操作画面ＷＤ２への操作に応じて、売上の対象となった商品又は役務、その数量及び合計額を、売上日時や店員の識別情報（例えば店員の名前）等と対応付けて登録できる。
【００９１】
（取引処理装置のドッキング装置への装着又は取外しに応じた動作説明）
次に、取引処理装置１００のドッキング装置２００への装着又は取外しに応じた動作について、図９以降の各図面を参照して説明する。図９は、本実施形態の取引処理装置１００の動作手順の第１例を説明するフローチャートである。図１０は、本実施形態の取引処理装置１００の動作手順の第２例を説明するフローチャートである。図１１は、図１０に示す表示データを受けたドッキング装置２００及び外部ディスプレイ５００の動作手順の第１例を説明するフローチャートである。図１２は、ドッキング装置から取外された場合の取引処理装置の動作手順の第１変形例を説明するフローチャートである。図１３は、ドッキング装置から取外された場合の取引処理装置の動作手順の第２変形例を説明するフローチャートである。図１４は、ドッキング装置から取外された場合の取引処理装置の動作手順の第３変形例を説明するフローチャートである。図１５は、ドッキング装置から取外された場合の取引処理装置の動作手順の第４変形例を説明するフローチャートである。図１６は、本実施形態の取引処理装置の動作手順の第３例を説明するフローチャートである。
【００９２】
なお、以下の説明において、取引処理装置１００がドッキング装置２００に装着された場合とは、例えば取引処理装置１００がドッキング装置２００の装置収容空間ＥＣＰＶに収容されて装着され、かつ錠部Ｊ２がドライバー等の工具により固定されて物理的に固定され、更に、取引処理装置１００とドッキング装置２００との間のチャレンジレスポンス処理の結果、装置認証部６３により正しい取引処理装置１００がドッキング装置２００に装着されて電気的に接続されたことが認証された場合とする。
【００９３】
また、以下の説明において、取引処理装置１００がドッキング装置２００から取外された場合とは、例えば取引処理装置１００がドッキング装置２００の装置収容空間ＥＣＰＶから取外された場合、錠部Ｊ２の施錠状態が解除された結果として取引処理装置１００のドッキング装置２００における物理的な固定が外れた場合、及び、取引処理装置１００とドッキング装置２００との間のチャレンジレスポンス処理において異常結果が得られて認証が成立しなかった場合のうち少なくとも１つを満たす場合とする。
【００９４】
図９では、ドッキング装置２００に外部ディスプレイ５００が接続されていない場合に、取引処理装置１００がドッキング装置２００に装着されたり取外されたりした時の取引処理装置１００（ＭＰＯＳ）の動作が示されている。
【００９５】
図９において、取引処理装置１００の第２のＣＰＵ３１は、ドッキング装置Ｉ／Ｆ部４６を介して、ドッキング装置２００との間でチャレンジレスポンス処理の通信（認証）を試みる（Ｓ１）。なお、上記したようにチャレンジレスポンス処理はドッキング装置２００が起点となって、ドッキング装置２００からチャレンジデータが送信される。第２のＣＰＵ３１は、ドッキング装置Ｉ／Ｆ部４６がチャレンジデータを受信した場合には、そのチャレンジデータに対応するレスポンスデータを計算し、ドッキング装置Ｉ／Ｆ部４６を介して、レスポンスデータをドッキング装置２００に送信する。
【００９６】
ステップＳ１におけるチャレンジレスポンス処理の結果、正しい取引処理装置１００がドッキング装置２００に装着されて電気的に接続されたことが認証されなかった場合には（Ｓ２、ＮＯ）、図９に示す取引処理装置１００の処理は終了する。
【００９７】
ステップＳ１におけるチャレンジレスポンス処理の結果、正しい取引処理装置１００がドッキング装置２００に装着されて電気的に接続されたことが認証された場合には（Ｓ２、ＹＥＳ）、第２のＣＰＵ３１は、例えばカードを用いた決済アプリケーション（「カード決済アプリ」と略記する場合がある）が起動済みであるか否かを確認する（Ｓ３）。カード決済アプリが起動済みであることが確認された場合には（Ｓ４、ＹＥＳ）、取引処理装置１００の処理はステップＳ６に進む。一方、カード決済アプリが起動済みではないことが確認された場合には（Ｓ４、ＮＯ）、第２のＣＰＵ３１は、カード決済アプリを起動する（Ｓ５）。
【００９８】
第２のＣＰＵ３１は、図９の説明では外部ディスプレイ５００がドッキング装置２００に接続されていない状態であるため、カード決済アプリの操作画面（例えば図７（Ａ）に示す操作画面ＷＤ１ａ参照）の表示出力先として取引処理装置１００の内蔵ディスプレイ３４ｂを使用することを決定し、内蔵ディスプレイ３４ｂの表示出力先を設定する（Ｓ６）。これにより、取引処理装置１００は、カード決済アプリの操作画面を内蔵ディスプレイ３４ｂに表示させることができる。
【００９９】
図１０では、ドッキング装置２００に外部ディスプレイ５００が接続されている場合に、取引処理装置１００がドッキング装置２００に装着されたり取外されたりした時、外部ディスプレイ５００の電源がＯＮ又はＯＦＦになった時、或いは外部ディスプレイ５００がドッキング装置２００に接続された時又は取外された時の取引処理装置１００（ＭＰＯＳ）の動作が示されている。
【０１００】
図１０において、ステップＳ１におけるチャレンジレスポンス処理の結果、正しい取引処理装置１００がドッキング装置２００に装着されて電気的に接続されたことが認証されなかった場合には（Ｓ２、ＮＯ）、取引処理装置１００の第２のＣＰＵ３１は、ドッキングコネクタＣ１を介して外部ディスプレイ５００に表示されていたアプリケーションの操作画面の表示を停止する（Ｓ１８）。第２のＣＰＵ３１は、外部ディスプレイ５００に表示されていたアプリケーションの操作画面を内蔵ディスプレイ３４ｂに切り替えて表示させる（Ｓ１９）。
【０１０１】
一方、ステップＳ１におけるチャレンジレスポンス処理の結果、正しい取引処理装置１００がドッキング装置２００に装着されて電気的に接続されたことが認証された場合には（Ｓ２、ＹＥＳ）、第２のＣＰＵ３１は、ドッキング装置２００を介して、外部ディスプレイ５００との接続の有無を確認する（Ｓ１１）。外部ディスプレイ５００が接続されていないことが確認された場合には（Ｓ１２、ＮＯ）、取引処理装置１００の処理はステップＳ１８に進む。
【０１０２】
一方、第２のＣＰＵ３１は、外部ディスプレイ５００が接続されていることを確認した場合には（Ｓ１２、ＹＥＳ）、外部ディスプレイ５００の仕様及び属性に関する情報を取得し、外部ディスプレイ５００が取引処理装置１００にインストールされているアプリケーションの操作画面を表示（サポート）可能な仕様であるか否かを確認する（Ｓ１３）。外部ディスプレイ５００が取引処理装置１００にインストールされているアプリケーションの操作画面を表示（サポート）可能な仕様ではないことが確認された場合には（Ｓ１４、ＮＯ）、取引処理装置１００の処理はステップＳ１８に進む。
【０１０３】
一方、第２のＣＰＵ３１は、外部ディスプレイ５００が取引処理装置１００にインストールされているアプリケーションの操作画面を表示（サポート）可能な仕様であることを確認した場合には（Ｓ１４、ＹＥＳ）、アプリケーションの操作画面の表示出力先を、内蔵ディスプレイ３４ｂから外部ディスプレイ５００に切り替えることを決定する（Ｓ１５）。第２のＣＰＵ３１は、アプリケーションの操作画面の表示データを含む表示開始指示ＲＡを、ドッキングコネクタＣ１を介してドッキング装置２００に送信する（Ｓ１６）。また、第２のＣＰＵ３１は、アプリケーションの操作画面の表示データの外部ディスプレイ５００における表示を指示した旨の表示開始応答ＲＢを、ドッキングコネクタＣ１を介してドッキング装置２００から受信する。
【０１０４】
ステップＳ１６の後、第２のＣＰＵ３１は、内蔵ディスプレイ３４ｂに別のアプリケーションの操作画面を表示させる（Ｓ１７）。なお、別のアプリケーションは、複数のアプリケーションが起動していた場合には外部ディスプレイ５００に操作画面が切り替えて表示されたアプリケーション以外の他のアプリケーションでもよいし、取引処理装置１００において予め決められてもよい。予め決められていない場合には、第２のＣＰＵ３１は、取引処理装置１００にインストールされているアプリケーションの一覧を内蔵ディスプレイ３４ｂに表示させて店員に選択されたアプリケーションの初期画面を表示させてもよい。これにより、取引処理装置１００は、例えば商品登録アプリケーションの操作画面ＷＤ２を外部ディスプレイ５００に切り替えて表示させた後に、店員が内蔵ディスプレイ３４ｂに表示されるアプリケーションの操作画面が定まっていなかった場合、店員に選択させることで、店員の状況に応じた任意のアプリケーションを簡易に起動できる。
【０１０５】
図１１において、ステップＳ１６における表示開始指示ＲＡに応じて、ドッキング装置２００は、取引処理装置１００から受けた画面データ（つまり、アプリケーションの操作画面の表示データ）を含む表示開始指示ＲＣを、ディスプレイリンク部６１を介して外部ディスプレイ５００に出力する（Ｓ２１）。また、ドッキング装置２００は、アプリケーションの操作画面の表示データの外部ディスプレイ５００における表示を指示した旨の表示開始応答ＲＢを、ドッキングコネクタＣ１を介して取引処理装置１００に送信する。
【０１０６】
ステップＳ２１における表示開始指示ＲＣに応じて、外部ディスプレイ５００は、ドッキング装置２００から受けた画面データ（つまり、アプリケーションの操作画面の表示データ）を表示する（Ｓ２２）。これにより、取引処理装置１００は、例えば内蔵ディスプレイ３４ｂに表示されていた商品登録アプリケーションの操作画面ＷＤ２（図８参照）を外部ディスプレイ５００に切り替えて表示できるので、内蔵ディスプレイ３４ｂより表示領域がワイドな外部ディスプレイ５００において商品登録アプリケーションの操作画面ＷＤ２を店員や顧客に見せ易くすることができ、店員や顧客の操作画面ＷＤ２に対する入力操作時の利便性を向上できる。
【０１０７】
図１２では、取引処理装置１００がドッキング装置２００から取外された時の取引処理装置（ＭＰＯＳ）１００の表示に関する他の動作が示されている。なお、図１２に示す説明は、取引処理装置１００がドッキング装置２００から取外されたことに加え、外部ディスプレイ５００の電源がＯＦＦにされた場合に適用してもよい。また、図１２の説明の前提として、外部ディスプレイ５００には商品登録アプリケーションの操作画面が表示されており、取引処理装置１００の内蔵ディスプレイ３４ｂにはカード決済アプリの操作画面が表示されていたとする。
【０１０８】
図１２において、取引処理装置１００の第２のＣＰＵ３１は、内蔵ディスプレイ３４ｂに表示していたカード決済アプリの操作画面の内蔵ディスプレイ３４ｂへの表示を中断し、カード決済アプリの操作画面のデータ（表示データ）を内蔵ディスプレイ３４ｂから論理的に切り離す（Ｓ３１）。これにより、内蔵ディスプレイ３４ｂのメモリが一時的に空くことになる。
【０１０９】
第２のＣＰＵ３１は、外部ディスプレイ５００に表示していた商品登録アプリケーションの操作画面を内蔵ディスプレイ３４ｂに切り替えて表示させる（Ｓ３２）。これにより、取引処理装置１００は、例えば節電等の対応で外部ディスプレイ５００の電源をＯＦＦしないといけなくなった場合又は店員がドッキング装置２００の配置位置から移動しなくてはいけなくなった場合でも、外部ディスプレイ５００に表示していた商品登録アプリケーションを処理途中で中断することなく、商品登録アプリケーションの操作画面に対する店員の操作を連続的に行わせることができる。
【０１１０】
図１３では、取引処理装置１００がドッキング装置２００から取外された時の取引処理装置（ＭＰＯＳ）１００の表示に関する他の動作が示されている。なお、図１３に示す説明は、取引処理装置１００がドッキング装置２００から取外されたことに加え、外部ディスプレイ５００の電源がＯＦＦにされた場合に適用してもよい。また、図１３の説明の前提として、外部ディスプレイ５００には商品登録アプリケーションの操作画面が表示されており、取引処理装置１００の内蔵ディスプレイ３４ｂにはカード決済アプリの操作画面が表示されていたとする。
【０１１１】
図１３において、取引処理装置１００の第２のＣＰＵ３１は、外部ディスプレイ５００に表示していた商品登録アプリケーションの操作画面の表示を中断し、内蔵ディスプレイ３４ｂに表示していたカード決済アプリの操作画面をそのまま内蔵ディスプレイ３４ｂに継続して表示させる（Ｓ４１）。これにより、取引処理装置１００は、例えば誤って外部ディスプレイ５００の電源がＯＦＦになった場合でも、内蔵ディスプレイ３４ｂに表示していたカード決済アプリケーションを処理途中で中断することなく、カード決済アプリケーションの操作画面に対する店員の操作を連続的に行わせることができる。
【０１１２】
図１４では、取引処理装置１００がドッキング装置２００から取外された時の取引処理装置（ＭＰＯＳ）１００のタスク処理に関する他の動作が示されている。なお、図１４に示す説明は、取引処理装置１００がドッキング装置２００から取外されたことに加え、外部ディスプレイ５００の電源がＯＦＦにされた場合に適用してもよい。また、図１４の説明の前提として、外部ディスプレイ５００には商品登録アプリケーションの操作画面が表示されており、取引処理装置１００の内蔵ディスプレイ３４ｂにはカード決済アプリの操作画面が表示されていたとする。
【０１１３】
図１４において、取引処理装置１００の第２のＣＰＵ３１は、操作画面を外部ディスプレイ５００に表示していた商品登録アプリケーションを起動させたまま、バックグラウンドにおいて動作を継続させる（Ｓ５１ａ）。
【０１１４】
第２のＣＰＵ３１は、商品登録アプリケーションの操作画面の外部ディスプレイ５００への表示を中断し、カード決済アプリの実行状態を維持しつつ、カード決済アプリの操作画面を内蔵ディスプレイ３４ｂに表示し続ける（Ｓ５２ａ）。
【０１１５】
図１５では、取引処理装置１００がドッキング装置２００から取外された時の取引処理装置（ＭＰＯＳ）１００のタスク処理に関する他の動作が示されている。なお、図１５に示す説明は、取引処理装置１００がドッキング装置２００から取外されたことに加え、外部ディスプレイ５００の電源がＯＦＦにされた場合に適用してもよい。また、図１５の説明の前提として、外部ディスプレイ５００には商品登録アプリケーションの操作画面が表示されており、取引処理装置１００の内蔵ディスプレイ３４ｂにはカード決済アプリの操作画面が表示されていたとする。
【０１１６】
図１５において、取引処理装置１００の第２のＣＰＵ３１は、操作画面を外部ディスプレイ５００に表示していた商品登録アプリケーションを終了させる（Ｓ５１ｂ）。ステップＳ５１ｂ以降の取引処理装置１００の動作は図１５に示すステップＳ５２ａと同一のため、説明を省略する。
【０１１７】
図１６では、ドッキング装置２００に外部ディスプレイ５００が接続されている場合に、取引処理装置１００がドッキング装置２００に装着されたり取外されたりした時、外部ディスプレイ５００の電源がＯＮ又はＯＦＦになった時、或いは外部ディスプレイ５００がドッキング装置２００に接続された時又は取外された時の取引処理装置１００（ＭＰＯＳ）の他の動作が示されている。また、図１６の説明の前提として、取引処理装置１００の内蔵ディスプレイ３４ｂにはカード決済アプリの操作画面（例えば図８参照）が表示されていたとする。
【０１１８】
図１６において、第２のＣＰＵ３１は、外部ディスプレイ５００が取引処理装置１００にインストールされているアプリケーションの操作画面を表示（サポート）可能な仕様であることを確認した場合には（Ｓ１４、ＹＥＳ）、内蔵ディスプレイ３４ｂに表示されている商品登録アプリケーションの品目数量表示領域ＡＲ２と同一内容の操作画面ＷＤ２ａを外部ディスプレイ５００に表示させる（Ｓ６１、図１８参照）。更に、第２のＣＰＵ３１は、同じ商品登録アプリケーションの登録対象一覧表示領域ＡＲ１（例：レシートイメージ）と同一内容の操作画面ＷＤ２ｂを内蔵ディスプレイ３４ｂに表示させる（Ｓ６１、図１９参照）。
【０１１９】
図１８は、外部ディスプレイ５００に表示された商品登録アプリケーションの操作画面ＷＤ２ａの一例を示す図である。図１９は、取引処理装置１００の内蔵ディスプレイ３４ｂに表示された商品登録アプリケーションの操作画面ＷＤ２ｂの一例を示す図である。図１８に示すように、表示領域が内蔵ディスプレイ３４ｂよりワイドな外部ディスプレイ５００では、図８に示す品目数量表示領域ＡＲ２がより詳細かつ広範囲な品目数量表示領域ＡＲ２ａを含む操作画面ＷＤ２ａが表示される。
【０１２０】
つまり、例えば図８に示す操作画面ＷＤ２では内蔵ディスプレイ３４ｂの表示領域が外部ディスプレイ５００の表示領域に比べて狭いために全ての野菜の品目が表示しきれず、「やさい１」，「やさい２」と複数のタブに区分され、各区分に属する野菜の項目のみしか表示されていなかった。このため、「やさい１」に属する「アスパラ」を選択する場合には店員の入力操作時の不都合はなかったが、「やさい２」に属する「たまねぎ」を選択する場合には現在選択中の「やさい１」から「やさい２」に切り替える操作が必要となり、切り替えた後に「やさい２」に属する「たまねぎ」を選択する必要があった。また、内蔵ディスプレイ３４ｂの表示領域が狭いと、品目のタッチ入力時に、店員が誤って違う品目を選択してしまう等、品目の入力操作の誤操作を誘発し易く、操作画面ＷＤ２が拡大するように操作を行わなければならない等、利便性が低下することがあった。
【０１２１】
ところが、外部ディスプレイ５００の表示領域が内蔵ディスプレイ３４ｂの表示領域がワイドであるため、図１８に示す操作画面ＷＤ２ａでは全ての野菜の品目を表示可能となり、１つの「やさい」の区分に属する野菜の項目が表示される。これにより、取引処理装置１００は、店員の商品登録アプリケーションの操作画面ＷＤ２ａの視認性を向上でき、更に、売上の対象となった商品の品目を簡易に選択・入力できる。更に、取引処理装置１００は、外部ディスプレイ５００において商品登録アプリケーションの操作画面ＷＤ２ａを表示できるので、店員が誤って違う品目を選択する頻度を低減できるので、品目の選択時の誤操作を軽減でき、利便性の低下を抑制できる。
【０１２２】
また、図１９に示すように、表示領域が内蔵ディスプレイ３４ｂよりワイドな外部ディスプレイ５００では、図８に示す登録対象一覧表示領域ＡＲ１がより詳細かつ広範囲な品目数量表示領域ＡＲ２ｂを含む操作画面ＷＤ２ｂが表示される。
【０１２３】
つまり、例えば図８に示す操作画面ＷＤ２では内蔵ディスプレイ３４ｂの表示領域が外部ディスプレイ５００の表示領域に比べて狭いために売上の対象となった商品の品目、数量、小計の一覧の視認性が良くなかった。具体的には、売上の対象となった「紅茶」，「ビール５００ｍｌ」，「トマト」，「欧風カレー旨口」の品目の名称、数量、小計と「低温殺菌牛乳１０００ｍｌ」の品目の名称、数量、小計とが同列に並んだように表示されず、各商品の数量、小計の合計と最終的な商品の数量、小計の合算額とが一致せずに、一見すると、店員が「低温殺菌牛乳１０００ｍｌ」の入力を失念した可能性があるとの不安を与えかねない。
【０１２４】
ところが、外部ディスプレイ５００に操作画面ＷＤ２の一部である品目数量表示領域ＡＲ２の内容を含む操作画面ＷＤ２ａが表示され、内蔵ディスプレイ３４ｂには残りの登録対象一覧表示領域ＡＲ１の内容を含む操作画面ＷＤ２ｂが表示される。つまり、品目数量表示領域ＡＲ２の内容は内蔵ディスプレイ３４ｂには表示されないので、登録対象一覧表示領域ＡＲ１の内容を含む操作画面ＷＤ２ｂの表示領域は、図８に示す登録対象一覧表示領域ＡＲ１の表示領域よりワイドである。これにより、取引処理装置１００は、図１９に示す操作画面ＷＤ２ｂでは売上の対象となった商品の品目（具体的には「紅茶」，「ビール５００ｍｌ」，「トマト」，「欧風カレー旨口」，「低温殺菌牛乳１０００ｍｌ」）、数量、小計とが同列に並んだように表示できる。従って、取引処理装置１００は、売上の対象となった商品の品目、数量、小計を同列に並ぶようなワイドな操作画面ＷＤ２ｂを内蔵ディスプレイ３４ｂに表示できるので、店員の入力操作の失念等の不安を抱かせる頻度を軽減でき、店員の入力操作時の利便性を向上できる。
【０１２５】
また、取引処理装置１００は、ドッキング装置２００から取外されると、外部ディスプレイ５００に表示されていたアプリケーションの種別、操作画面及び処理状態のうちいずれかを基に、内蔵ディスプレイ３４ｂに表示させるアプリケーションを決定してもよい（図１７参照）。取引処理装置１００は、決定されたアプリケーションの操作画面を内蔵ディスプレイ３４ｂに表示させる。図１７は、ドッキング装置２００から取外された場合の取引処理装置１００の内蔵ディスプレイ３４ｂに表示されるアプリケーションの操作画面を規定するテーブルの一例を示す図である。
【０１２６】
図１７の説明の前提として、例えば取引処理装置１００において在庫管理アプリケーション（以下、「在庫照会アプリ」と略記する場合がある。）が起動していたとする。例えば、取引処理装置１００がドッキング装置２００から取外された時にカード決済アプリが起動していなかった場合、取引処理装置１００は、在庫照会アプリの操作画面を内蔵ディスプレイ３４ｂに表示し続ける（図１７に示すパターン１参照）。
【０１２７】
また、取引処理装置１００がドッキング装置２００から取外された時にカード決済アプリが起動しており、かつカード決済前の（つまり、金額の支払がされていなかった）場合、取引処理装置１００は、例えば外部ディスプレイ５００に表示されていたカード決済アプリの操作画面を内蔵ディスプレイ３４ｂに切り替えて表示する（図１７に示すパターン２参照）。これにより、取引処理装置１００は、例えばカード決済アプリケーションにおいてカード決済前（つまり、金額の支払が未だ）である場合には、カード決済アプリケーションを中断することなく、カード決済アプリケーションの操作画面を内蔵ディスプレイ３４ｂに表示することで、カード決済アプリケーションの処理の連続性を担保できて、店員の操作時の利便性を向上できる。
【０１２８】
また、取引処理装置１００がドッキング装置２００から取外された時にカード決済アプリが起動しているが、カード決済後の（つまり、金額の支払がされた）場合、取引処理装置１００は、例えば外部ディスプレイ５００に表示されていたカード決済アプリの操作画面を内蔵ディスプレイ３４ｂに表示することなく、在庫照会アプリの操作画面を内蔵ディスプレイ３４ｂに表示し続ける（図１７に示すパターン３参照）。これにより、取引処理装置１００は、例えばカード決済アプリケーションにおいてカード決済後（つまり、金額の支払が済み）である場合には、店員や顧客に提示する必要のあるカード決済アプリの操作画面が少ないことから、カード決済アプリケーションを中断し、元々使用していた在庫管理アプリケーションの操作画面を内蔵ディスプレイ３４ｂに表示することで、在庫照会アプリケーションの処理の連続性を担保できて、店員の操作時の利便性を向上できる。
【０１２９】
以上により、本実施形態の取引処理システム１０００では、取引処理装置１００は、内蔵ディスプレイ３４ｂを用いて決済アプリケーション及び業務アプリケーション（例えば商品登録アプリケーション、在庫管理アプリケーション）のうち少なくとも１つを実行可能である。ドッキング装置２００は、決済アプリケーション又は業務アプリケーションに使用される少なくとも１つの周辺機器と接続され、取引処理装置１００の装着及び取外しが可能である。例えば周辺機器が内蔵ディスプレイ３４ｂより大きな表示領域を有する外部ディスプレイ５００である場合、取引処理装置１００は、ドッキング装置２００への装着に応じて、内蔵ディスプレイ３４ｂに表示された決済アプリケーション又は業務アプリケーションの操作画面を、ドッキング装置２００を介して外部ディスプレイ５００に切り替えて表示させる。
【０１３０】
これにより、取引処理システム１０００は、可搬型の取引処理装置１００と商品登録アプリケーション及び決済アプリケーションのうち少なくとも１つの手続を実行する時に使用される周辺機器（例えば外部ディスプレイ５００）とを連携して使用する場合に、ユーザである店員が煩雑な設定操作を必要とすることなく、簡易な操作で、取引処理装置１００を単独で使用する場合の商品登録アプリケーション及び決済アプリケーションのうち少なくとも１つの操作画面に比べてワイドな操作画面を外部ディスプレイ５００に表示できるので、店員の操作時の利便性を向上できる。
【０１３１】
また、取引処理装置１００は、更に、外部ディスプレイ５００に表示されたアプリケーション以外の他のアプリケーションの操作画面を内蔵ディスプレイ３４ｂに表示させる。これにより、取引処理装置１００は、店員が取引処理装置１００をドッキング装置２００に装着するという簡易な操作により、例えば大きな表示領域を有するアプリケーション（例えば商品登録アプリケーション）の操作画面を外部ディスプレイ５００に表示でき、更に、他のアプリケーション（例えば大きな表示領域を有しないアプリケーション）の操作画面を、外部ディスプレイ５００の表示領域より小さい内蔵ディスプレイ３４ｂに表示できるので、アプリケーションごとに操作画面を表示するデバイスを使い分けできて、店員の操作時の利便性を向上できる。
【０１３２】
また、外部ディスプレイ５００には、決済アプリケーション又は業務アプリケーションの操作画面の一部が表示され、取引処理装置１００は、更に、決済アプリケーション又は業務アプリケーションの残りの操作画面を内蔵ディスプレイ３４ｂに表示させる。これにより、取引処理装置１００は、店員が取引処理装置１００をドッキング装置２００に装着するという簡易な操作により、例えば大きな表示領域を有するアプリケーション（例えば商品登録アプリケーション）の操作画面の一部を外部ディスプレイ５００に表示でき、更に、残りの操作画面を店員の手元にある取引処理装置１００の内蔵ディスプレイ３４ｂに表示できるので、アプリケーションの操作画面全体を容易に閲覧できて俯瞰性を向上でき、店員の操作時の利便性を向上できる。
【０１３３】
また、取引処理装置１００は、ドッキング装置２００から取外された場合には、外部ディスプレイ５００に表示された決済アプリケーション又は業務アプリケーションの操作画面を内蔵ディスプレイ３４ｂに表示させる。これにより、取引処理装置１００は、例えば外部ディスプレイ５００の大きな表示領域を使用する必要がなくなった場合に、店員が取引処理装置１００をドッキング装置２００から取外すという簡易な操作により、内蔵ディスプレイ３４ｂだけを閲覧することで使用継続中のアプリケーションの操作画面全体を容易に把握でき、店員の操作時の利便性を向上できる。
【０１３４】
また、取引処理装置１００は、ドッキング装置２００から取外された場合には、内蔵ディスプレイ３４ｂに表示された他のアプリケーションの操作画面の表示を継続する。これにより、取引処理装置１００は、例えば外部ディスプレイ５００に表示されていた操作画面のアプリケーションを使用する必要がなくなった場合に、店員が取引処理装置１００をドッキング装置２００から取外すという簡易な操作により、外部ディスプレイ５００に表示された決済アプリケーション又は業務アプリケーションの操作画面に対する店員の操作を終了でき、かつ内蔵ディスプレイ３４ｂに表示されたアプリケーションの操作画面の表示を遮ることがないので、店員の操作時の利便性を向上できる。
【０１３５】
また、取引処理装置１００は、ドッキング装置２００から取外された場合には、外部ディスプレイ５００に表示された決済アプリケーション及び業務アプリケーションの種別、操作画面及び処理状態のうちいずれかを基に、内蔵ディスプレイ３４ｂに表示させるアプリケーションを決定し、決定されたアプリケーションの操作画面を内蔵ディスプレイ３４ｂに表示させる。例えば、カード（例えばＩＣクレジットカード）を用いた決済アプリケーションでは、取引処理装置１００と決済センタ装置との間の通信途中で操作画面が他のアプリケーションに切り替えられると、決済処理が正常に終了したのかどうかが店員にとって分かりづらく不安を与えかねない。これにより、取引処理装置１００は、ドッキング装置２００から取外された時に内蔵ディスプレイ３４ｂに表示されたアプリケーションの状況（例えば種別、操作画面、処理状態のうちいずれか又はその複数の組み合わせ）に応じて、店員の操作画面に対する操作を遮ることなく、店員が快適に又は連続的に使用可能なアプリケーションを柔軟に決定できる。
【０１３６】
また例えば、内蔵ディスプレイ３４ｂは、取引処理装置１００がドッキング装置２００に装着される前に決済アプリケーションの操作画面を表示し、決済アプリケーションの操作画面は取引処理装置１００がドッキング装置２００に装着されると、外部ディスプレイ５００に表示されてもよい。これにより、決済アプリケーションにおいて店員や顧客により入力される決済情報（例えばカードブランド、カード番号、有効期限、金額、支払方法、支払回数、ＰＩＮ）の入力の際には、内蔵ディスプレイ３４ｂより表示領域が大きい外部ディスプレイ５００において操作画面が表示されるので、店員や顧客にとって入力時の利便性を向上できる。
【０１３７】
また例えば、内蔵ディスプレイ３４ｂは、取引処理装置１００がドッキング装置２００に装着される前に商品登録アプリケーションの操作画面を表示し、商品登録アプリケーションの操作画面は取引処理装置１００がドッキング装置２００に装着されると、外部ディスプレイ５００に表示されてもよい。これにより、商品登録アプリケーションにおいて店員により入力される商品登録情報（例えば商品の品目、数量、金額）の入力の際には、内蔵ディスプレイ３４ｂより表示領域が大きい外部ディスプレイ５００において操作画面が表示されるので、店員にとって入力時の利便性を向上できる。
【０１３８】
また、取引処理装置１００は、内蔵ディスプレイ３４ｂに決済アプリケーション及び業務アプリケーションのうち少なくとも１つの操作画面を表示可能であり、決済アプリケーション又は業務アプリケーションに使用される少なくとも１つの周辺機器と接続されたドッキング装置２００との間で通信の接続及び認証を行う。ここで、例えば周辺機器は、内蔵ディスプレイ３４ｂより大きな表示領域を有する外部ディスプレイ５００である。取引処理装置１００は、ドッキング装置２００との間の通信及びドッキング装置２００への装着が認証された場合に、内蔵ディスプレイ３４ｂに表示された決済アプリケーション又は業務アプリケーションの操作画面を、ドッキング装置２００を介して外部ディスプレイ５００に切り替えて表示させる。
【０１３９】
これにより、取引処理装置１００は、取引処理装置１００と商品登録アプリケーション及び決済アプリケーションのうち少なくとも１つの手続に使用される周辺機器（例えば外部ディスプレイ５００）とを連携して使用する場合に、店員の煩雑な設定操作を必要とせずに、簡易な操作で、取引処理装置１００を単独で使用する場合の商品登録アプリケーション及び決済アプリケーションのうち少なくとも１つの操作画面に比べてワイドな操作画面を外部ディスプレイ５００に表示してユーザの操作時の利便性を向上できる。
【０１４０】
また、取引処理装置１００に所定の手順を実行させるためのプログラムによれば、取引処理装置１００ではなくても、外部装置（例えばタブレット端末）にプログラムに規定された手順を実行させることで、取引処理装置１００と同等の処理を、外部装置においても実行可能である。ここでいう所定の手順には、決済アプリケーション及び業務アプリケーションのうち少なくとも１つを実行し、決済アプリケーション又は業務アプリケーションに使用され、かつ内蔵ディスプレイ３４ｂより大きな表示領域を有する外部ディスプレイ５００に接続されたドッキング装置２００との間で通信の接続及び認証を行い、内蔵ディスプレイ３４ｂに表示された決済アプリケーション又は業務アプリケーションの操作画面を、ドッキング装置２００を介して、外部ディスプレイ５００に切り替えて表示させる、それぞれの処理が含まれる。
【０１４１】
以上、図面を参照して本発明に係る取引処理システムの実施形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。
【０１４２】
また、上述した本実施形態では、購入者のカード取引の一例としてクレジットカード（より具体的には磁気クレジットカード、接触式ＩＣクレジットカード、非接触ＩＣクレジットカード）を用いた決済処理について説明したが、クレジットカードを用いた決済処理に限定されず、例えばデビットカード、電子マネー、プリペイドカード、ポストペイカード、ポイントカード、電子クーポン、電子商品券、現金を用いた決済処理に適用されてもよい。
【産業上の利用可能性】
【０１４３】
本発明は、可搬型の取引処理装置と商品登録処理及び決済処理のうち少なくとも１つの手続に使用される周辺機器とを連携して使用する場合に、煩雑な設定操作を必要とせずに、簡易な操作で、取引処理装置を単独で使用する場合の商品登録処理及び決済処理のうち少なくとも１つの操作画面に比べてワイドな操作画面を周辺機器に表示してユーザの操作時の利便性を向上する取引処理システム、取引処理方法、取引処理装置及びプログラムとして有用である。
【符号の説明】
【０１４４】
２０  タンパ検知回路
２１、５１  メモリ内蔵ＣＰＵ
２１ａ  第１のＣＰＵ
２１ｂ  第１のフラッシュＲＯＭ
２１ｃ  第１のＲＡＭ
２２  第１のＩ／Ｆ部
２３ａ  第１のタッチ入力検出部
２３ｂ、３４ｂ  内蔵ディスプレイ
２４、３７  電源部
２５、３８  バッテリ
３１  第２のＣＰＵ
３２  第２のフラッシュＲＯＭ
３３  第２のＲＡＭ
３４ａ  第２のタッチ入力検出部
３６  第２のＩ／Ｆ部
４０、５５  局所無線通信部
４０ａ、５５ａ  局所無線通信アンテナ
４１  広域無線通信部
４１ａ  広域無線通信アンテナ
４２  キー入力部
４３ａ  磁気カードリーダ部
４３ｂ  接触ＩＣカードリーダ部
４３ｃ  非接触ＩＣカードリーダライタ部
４５  加速度センサ
４６  ドッキング装置Ｉ／Ｆ部
５１ｍ  メモリ
５３  周辺機器Ｉ／Ｆ部
５７  ＬＡＮ通信部
５９  シリアル変換部
６１  ディスプレイリンク部
６３  装置認証部
６５  給電ＯＮ／ＯＦＦ制御回路
６７  電源回路
６９  ＡＣ／ＤＣ変換部
７１  非接触リーダライタ部
１００  取引処理装置
２００  ドッキング装置
３００  レシートプリンタ
４００  キャッシュドロワ
５００  外部ディスプレイ
５５０  カスタマディスプレイ
６００  ピンパッド
６５０  サインパッド
７００  キーボード
７５０  マウス
８００  バーコードリーダ
１０００  取引処理システム
ＢＡＳ  固定台座部
Ｃ１  ドッキングコネクタ
ＣＲ  チャレンジレスポンス処理部
ＤＬＫ  下固定部
ＥＣＰ  装置収容部
ＥＣＰＶ  装置収容空間
ＨＮＧ  ヒンジ部
Ｊ１  施錠判定部
Ｊ２  錠部
Ｌ１  ＬＥＤランプ
ＬＡ１、ＬＡ２  ループアンテナ
ＮＷ  ネットワーク
Ｐ１  電源プラグ
ＲＴＳ１  回転台座部
ＲＴＳ２  収容回転部
ＴＰ、ＴＰ２  タッチパネル
Ｓ１  スピーカ
ＳＡ  セキュア領域
ＳＵＳ  支持部
ＳＵＳ１  下支持部
ＳＵＳ２  上支持部
ＳＷ１  スイッチ
ＴＡ  非セキュア領域
Ｔ１、Ｔ２、Ｔ３  ＵＳＢ端子
Ｔ４  ＬＡＮ端子
Ｔ５  シリアル端子
Ｔ６  ＶＧＡ端子
Ｔ７  ＨＤＭＩ端子
ＵＬＫ  上固定部
【図１】
2016186758.tif 000003
【図２】
2016186758.tif 000004
【図３】
2016186758.tif 000005
【図４】
2016186758.tif 000006
【図５】
2016186758.tif 000007
【図６】
2016186758.tif 000008
【図７】
2016186758.tif 000009
【図８】
2016186758.tif 000010
【図９】
2016186758.tif 000011
【図１０】
2016186758.tif 000012
【図１１】
2016186758.tif 000013
【図１２】
2016186758.tif 000014
【図１３】
2016186758.tif 000015
【図１４】
2016186758.tif 000016
【図１５】
2016186758.tif 000017
【図１６】
2016186758.tif 000018
【図１７】
2016186758.tif 000019
【図１８】
2016186758.tif 000020
【図１９】
2016186758.tif 000021